(57)【特許請求の範囲】
【請求項１】
建物の躯体の室外側に断熱材が配置され、この断熱材の室外側に外壁材が配置された外断熱式外壁構造であって、
前記外壁の開口部には、建物の躯体に取り付けられる躯体取付部と、サッシの窓枠が取り付けられる窓枠取付部とを備えるサッシ支持枠が配置され、
前記サッシ支持枠の外周面は、前記躯体の室外面からサッシ支持枠外周面の室外側端縁までの見込み寸法が躯体室外面から外壁表面までの見込み寸法以上に設定されているとともに、サッシ支持枠の外周面には、その外周面に略直交する方向に突出されかつその室外面が前記断熱材の室外面と略面一となる突出片部が形成され、
前記断熱材の室外面とサッシ支持枠の突出片部の室外面とに跨って少なくとも防水テープが貼られているとともに、
前記断熱材の室外面には透湿防水シートが貼られ、この透湿防水シートの端縁は、前記防水テープとともに、断熱材の室外面とサッシ支持枠の突出片部とに跨って貼られていることを特徴とする外断熱式外壁構造。
【請求項２】
建物の躯体の室外側に断熱材が配置され、この断熱材の室外側に外壁材が配置された外断熱式外壁構造であって、
前記外壁の開口部には、建物の躯体に取り付けられる躯体取付部と、サッシの窓枠が取り付けられる窓枠取付部とを備えるサッシ支持枠が配置され、
前記サッシ支持枠の外周面は、前記躯体の室外面からサッシ支持枠外周面の室外側端縁までの見込み寸法が躯体室外面から外壁表面までの見込み寸法以上に設定されているとともに、前記断熱材の室外面に直交する側面はサッシ支持枠の外周面に沿って配置され、
前記断熱材の室外面とサッシ支持枠の外周面とに跨って少なくとも防水テープがＬ字状に折曲されて貼られているとともに、
前記断熱材の室外面には透湿防水シートが貼られ、この透湿防水シートの端縁は、前記防水テープとともに、断熱材の室外面とサッシ支持枠の外周面とに跨って貼られ、
サッシ支持枠のコーナー部には、サッシ支持枠の各枠に沿って貼られる前記防水テープ間の隙間を塞ぐコーナー部材が設けられていることを特徴とする外断熱式外壁構造。
【請求項３】
サッシ支持枠は、金属製の室外部材および室内部材と、これらの室内外部材よりも熱伝導率が低い断熱材料で構成されて室内部材および室外部材間を連結する連結部材とで構成されている請求項１または請求項２に記載の外断熱式外壁構造。
【請求項４】
サッシ支持枠は、金属製の室外部材と、この室外部材よりも熱導率が低い断熱材料製の室内部材とで構成されている請求項１または請求項２に記載の外断熱式外壁構造。
【請求項５】
建物の躯体に取り付けられる躯体取付部と、サッシの窓枠が取り付けられる窓枠取付部と、躯体の室外側に配置される断熱材の室外面と略面一となる室外面を有する突出片部と、室外に露出する化粧面部とを備えるサッシ支持枠。
【発明の詳細な説明】
【０００１】
【発明の属する技術分野】
本発明は、外断熱式外壁構造およびこの外断熱式外壁構造に適したサッシ支持枠に関する。
【０００２】
【背景技術】
近年の建物においては、快適な生活空間を形成し、かつ冷暖房に使用するエネルギーを減少させて省エネルギー化をはかるために断熱性能が重視されている。ここで、建物の外壁部分の断熱方法としては、従来より、内断熱工法および外断熱工法が用いられている。なお、内断熱工法および外断熱工法とは、狭義ではコンクリート造りのように蓄熱体を断熱する場合を意味し、鉄骨造や木造等の蓄熱体が無い場合の充填断熱（内断熱）、外張断熱（外断熱）と区別して用いるが、本発明では、充填断熱工法および狭義の内断熱工法を総称して内断熱工法とし、外張断熱工法および狭義の外断熱工法を総称して外断熱工法とする。
内断熱工法は、構造躯体の間や室内側に断熱材を配置するものであり、通常は繊維系（グラスウール等）の断熱素材を躯体間（柱と柱の間等）に充填して施工することが多い。この内断熱工法は、断熱材の価格が安いため、断熱材のコストは低減できる。
但し、柱などの躯体が熱橋となり、断熱性能があまり高くできなかったり、壁内が外気で冷やされるため、この壁内に室内の空気（湿気）が流入すると結露が発生してしまうという課題がある。このため、壁体内に室内の空気が入らないように壁の室内面に気密防湿フィルムを貼って防湿処理を施さなければならず、施工コストも高くなっていた。
さらに、柱等で断熱材を連続的に配置できないため、断熱材および躯体間などに隙間が生じないように施工するためには、施工者の技量に頼る部分もあり、熟練が必要で、作業者による品質のバラツキが生じやすかった。
【０００３】
そこで、近年では、より断熱性能等に優れた外断熱工法も用いられるようになった。外断熱工法は、構造躯体の室外側に断熱材を配置するものであり、通常は発泡プラスチック等のプラスチック系の断熱板材を躯体の外側に張る外張工法が一般的である。
そして、外断熱工法では、建物全体が断熱材で覆われることになるため、熱容量が大きく、室温を安定できるとともに、熱橋がなく、断熱ラインが連続するため、断熱性能を高くでき、内部結露も発生しにくいといった効果がある。さらに、断熱板材自身の透湿抵抗が高く、室内側の空気（湿気）が断熱材の温度の低い室外面近くまで達することが殆ど無いため、防湿処理の手間を軽減でき、耐久性が高く、気密性もよいといった効果もある。
このため、近年では、内断熱工法に比べ、断熱性能に優れ、結露の発生も少ない外断熱工法が採用されることが多くなっている。
【０００４】
ところで、外断熱工法では、躯体の室外側に断熱材と外壁材とを順次配置し、かつ通常は外壁材と断熱材との間には空気層（通気層）を設けているため、躯体から外壁部分までの厚さ寸法が内断熱工法に比べて大きくなる。
このため、外断熱工法の場合、内断熱工法の場合と異なる次のようなサッシの納まりが採用されていた。
第１の方法は、外壁部分の厚さ寸法に応じて、見込み寸法（室内外寸法）が大きなサッシ窓枠を用いることである。すなわち、外壁材の端面は、サッシの窓枠との間にバックアップ材およびシーリング材を充填して防水処理が行われる。このため、外壁材の配置位置（見込み方向の位置）まで窓枠を延長しておく必要があるためである。
第２の方法は、柱などの建物躯体に断熱材の厚さ寸法に相当する連結板材を釘などで固定し、この連結板材にサッシの窓枠を取り付けるものである。この場合、窓枠の取付け位置から外壁材の位置までの寸法は内断熱方式と同じ寸法にできるので、同じ見込み寸法の窓枠を用いることができる。
【０００５】
【発明が解決しようとする課題】
しかしながら、前記第１の方法では、内断熱工法と外断熱工法とで見込み寸法の異なる窓枠を準備しなければならず、特に両工法を顧客の要望や建物を施工する地域によって選択可能にする場合には、複数種類の窓枠を製造、準備しなければならず、製造コストや管理コストが高くなるという問題があった。
一方、第２の方法では、柱等の躯体に釘等で固定される連結板材に窓枠を支持させるため、特に荷重の大きな複層ガラスサッシ等を取り付ける場合に長期的に十分な支持強度を確保できるかの検証が難しいという問題があった。また、この連結板材は、現場合わせで躯体に固定しているため、現場で手間の掛かる作業が発生し、工期が読めなかったり、作業コストが増加してしまうという問題もあった。さらに、サッシの窓枠の位置は建物躯体に対しては連結板材の厚さ寸法分だけ室外側に移動するため、室内側に配置される窓額縁等の付属品は、内断熱工法時に用いられるものに比べて、連結板材の厚さ寸法分、見込み寸法が大きなものを用意しなければならないという問題もあった。
【０００６】
本発明の目的は、外断熱工法の外壁において、内断熱工法の場合と同じサッシや付属品を用いることができ、サッシの製造コスト、管理コスト、作業コストを低減できる外断熱式外壁構造およびサッシ支持枠を提供することにある。
【０００７】
【課題を解決するための手段】
本発明は、建物の躯体の室外側に断熱材が配置され、この断熱材の室外側に外壁材が配置された外断熱式外壁構造であって、前記外壁の開口部には、建物の躯体に取り付けられる躯体取付部と、サッシの窓枠が取り付けられる窓枠取付部とを備えるサッシ支持枠が配置され、前記サッシ支持枠の外周面は、前記躯体の室外面からサッシ支持枠外周面の室外側端縁までの見込み寸法が躯体室外面から外壁表面までの見込み寸法以上に設定されているとともに、サッシ支持枠の外周面には、その外周面に略直交する方向に突出されかつその室外面が前記断熱材の室外面と略面一となる突出片部が形成され、前記断熱材の室外面とサッシ支持枠の突出片部の室外面とに跨って少なくとも防水テープが貼られているとともに、前記断熱材の室外面には透湿防水シートが貼られ、この透湿防水シートの端縁は、前記防水テープとともに、断熱材の室外面とサッシ支持枠の突出片部とに跨って貼られていることを特徴とするものである。
また、第２の発明は、建物の躯体の室外側に断熱材が配置され、この断熱材の室外側に外壁材が配置された外断熱式外壁構造であって、前記外壁の開口部には、建物の躯体に取り付けられる躯体取付部と、サッシの窓枠が取り付けられる窓枠取付部とを備えるサッシ支持枠が配置され、前記サッシ支持枠の外周面は、前記躯体の室外面からサッシ支持枠外周面の室外側端縁までの見込み寸法が躯体室外面から外壁表面までの見込み寸法以上に設定されているとともに、前記断熱材の室外面に直交する側面はサッシ支持枠の外周面に沿って配置され、前記断熱材の室外面とサッシ支持枠の外周面とに跨って少なくとも防水テープがＬ字状に折曲されて貼られているとともに、前記断熱材の室外面には透湿防水シートが貼られ、この透湿防水シートの端縁は、前記防水テープとともに、断熱材の室外面とサッシ支持枠の外周面とに跨って貼られ、サッシ支持枠のコーナー部には、サッシ支持枠の各枠に沿って貼られる前記防水テープ間の隙間を塞ぐコーナー部材が設けられていることを特徴とするものである。
ここで、サッシ支持枠の外周面とは、サッシ支持枠の周囲に配置される断熱材や外壁材に対向する側面である。すなわち、各枠材において室内外方向に沿った２つの側面（内周面および外周面）のうち、枠の外周側に面する側面である。
本発明では、窓枠および外壁材間にサッシ支持枠を介在させているため、外壁材端面の納まりは、外壁材とサッシ支持枠との間にシール材を充填することで処理できる。このため、躯体から外壁材までの見込み寸法が、内断熱工法に比べて大きくなる外断熱工法においても、その寸法の相違はサッシ支持枠で吸収でき、窓枠自身は各工法で同一のものを用いることができるので、窓枠の種類を少なくでき、製造コストや管理コストを低減できる。
また、窓枠は、アルミ等の金属材等で構成されるサッシ支持枠に固定されるため、従来のような木製の連結板材に支持される場合に比べて支持強度も向上でき、重量の大きな複層ガラスを組み込んだサッシであっても長期間安定して支持することができる。
さらに、従来のように連結木材を現場合わせで取り付ける手間が省け、工期が予測できるとともに、作業コストも低減できる。特に、連結木材を用いる場合には、まず柱などの躯体に連結木材を釘、ビス、接着剤等を用いて強固に固定した後、連結木材に窓枠をビスなどで固定するといった工程を踏まなければならないのに対し、本発明では、例えば、窓枠に支持枠を予めビスなどで固定して一体化した後に、支持枠を柱などの躯体に取り付けることができ、躯体側への取付作業は１回で済むため、手間が省け、工期も短縮できてコストも低減できる。
その上、断熱材およびサッシ支持枠に跨って防水テープが貼られているので、外断熱工法において、断熱材およびサッシ支持枠間を確実に塞いで防水処理することができ、断熱性や気密性に優れた外壁構造にできる。
【０００８】
また、第１の発明では、サッシ支持枠の外周面には、その外周面に略直交する方向に突出されかつその室外面が前記断熱材の室外面と略面一となる突出片部が形成され、前記防水テープは、断熱材の室外面と突出片部の室外面とに跨って貼られている。
このように、サッシ支持枠に突出片部が設けられていれば、防水テープを平面状態のまま貼付することができ、各防水テープを隙間無く確実に貼り付けることができ、かつ現場作業性も向上できる。
【０００９】
また、第２の発明では、断熱材の室外面に直交する側面はサッシ支持枠の外周面に沿って配置され、前記防水テープは、断熱材の室外面とサッシ支持枠の外周面とに跨ってＬ字状に折曲されて貼られるとともに、サッシ支持枠のコーナー部には、サッシ支持枠の各枠に沿って貼られる前記防水テープ間の隙間を塞ぐコーナー部材が設けられている。
このような本発明では、断熱材の室外面と、この室外面に対し略直交するサッシ支持枠の外周面とに跨って防水テープを貼っているので、防水テープは断面Ｌ字状に折曲されることになる。このため、サッシ支持枠のコーナー部（四隅分）、つまりサッシ支持枠の上下枠に沿って配置される防水テープと、縦枠に沿って配置される防水テープとが交差配置される部分では、防水テープが折曲されているために防水テープの一部を切断して重ねなければならず、その部分でピンホールが形成されてしまう。しかしながら、本発明では、そのピンホール（隙間）を塞ぐためのコーナー部材が設けられているので、防水テープにピンホールが発生することなくコーナー部材で止水性能を確保することができ、気密・防水性能の低下を防止することができる。
【００１０】
さらに、前記各発明では、断熱材の室外面には透湿防水シートが貼られ、この透湿防水シートの端縁は、防水テープとともに、断熱材の室外面とサッシ支持枠の突出片部またはサッシ支持枠の外周面とに跨って貼られている。
断熱材の室外面に透湿防水シートを貼って気密性能をより一層向上させる場合も、この透湿防水シートの端縁をサッシ支持枠部分まで貼って隙間などが生じないようにすることが好ましい。
このような透湿防水シートを、断熱材およびサッシ支持枠に跨って貼る際に、前記突出片部が設けられていれば、防水テープと同様に透湿防水シートを平面状態のまま貼付することができ、各テープ、シートを隙間無く確実に貼り付けることができて現場作業性も向上できる。
また、透湿防水シートを、断熱材およびサッシ支持枠に跨って貼る際に、前記防水テープと同様にＬ字状に折曲して貼付する場合には、コーナー部材を設けることでサッシ支持枠のコーナー部にピンホールが発生することがなくなり、その隙間を確実に塞ぐことができる。
【００１１】
ここで、サッシ支持枠は、金属製の室外部材および室内部材と、これらの室内外部材よりも熱伝導率が低い断熱材料で構成されて室内部材および室外部材間を連結する連結部材とで構成されていることが好ましい。
また、サッシ支持枠は、金属製の室外部材と、この室外部材よりも熱導率が低い断熱材料製の室内部材とで構成されているものでもよい。
これらの各サッシ支持枠を用いれば、金属部材のみで構成されているサッシ支持枠に比べて支持枠の室外面および室内面間の熱伝導を抑えることができ、支持枠の断熱性能を向上でき、サッシが配置される窓開口部の断熱性能を向上することができる。
【００１２】
本発明のサッシ支持枠は、建物の躯体に取り付けられる躯体取付部と、サッシの窓枠が取り付けられる窓枠取付部と、躯体の室外側に配置される断熱材の室外面と略面一となる室外面を有する突出片部と、室外に露出する化粧面部とを備えることを特徴とするものである。
ここで、躯体取付部からサッシ支持枠の室外端までの見込み寸法は、通常、このサッシ支持枠が取り付けられる躯体室外面から外壁表面までの見込み寸法以上に設定される。
窓枠および外壁材間に本発明のサッシ支持枠を介在させることで、外壁材端面の納まりは、外壁材とサッシ支持枠との間にシール材を充填するなどで処理することができる。このため、躯体から外壁材までの見込み寸法が、内断熱工法に比べて大きくなる外断熱工法においても、その寸法の相違はサッシ支持枠で吸収でき、窓枠自身は各工法で同一のものを用いることができるので、窓枠の種類を少なくでき、製造コストや管理コストを低減できる。また、重量の大きな複層ガラスを組み込んだサッシでも長期間安定して支持できたり、防水テープの貼付作業などの現場作業の手間が省け、工期も短縮できてコストも低減できるといった前記外断熱式外壁構造と同じ作用効果を奏することができる。
【００１３】
【発明の実施の形態】
以下、本発明の実施形態を図面に基づいて説明する。なお、各図面においては図面を見やすくするために、断面を示すハッチングを一部省略して記載している。
[第１実施形態］
図１，２には、第１実施形態の横辷り出し窓（サッシ）が示されている。ここで、図１は、本実施形態に係る横辷り出し窓１を示す縦断面図、図２は、その横断面図である。
横辷り出し窓１は、室内外方向（見込み方向）の略半分が建物開口部の躯体室外面から室外側に突出した半外付けタイプであり、開口部Ａに取り付けられたサッシ支持枠（窓モール）１０と、このサッシ支持枠１０内に配置された窓枠２０と、窓枠２０内に配置された障子３０とで構成されている。
【００１４】
建物の開口部Ａは、図３にも示すように、木製の柱２、まぐさ３、窓台４等の各躯体で囲われている。柱２は所定間隔離して配置され、これらの柱２間にまぐさ３および窓台４が架け渡されて固定されている。なお、柱２の間には、開口部Ａの幅寸法に応じて、適宜、間柱（図示せず）が所定間隔毎に配置される。
これらの柱２、まぐさ３、窓台４で囲われた壁開口部Ａに取り付けられたサッシ支持枠１０は、アルミ製の押出形材等で形成された支持上枠１１、支持下枠１２、および左右の支持縦枠１３を枠組みして構成されている。
これらの各枠１１〜１３は、略中空筒状に形成されると共に、枠組みした際に枠の外側面となる外周面１１Ａ〜１３Ａには、躯体への取付けに用いられる躯体取付部１１１，１２１，１３１と、各躯体取付部１１１，１２１，１３１の室外側にかつ略平行となるように前記外周面１１Ａ〜１３Ａから外周面直交方向に突設された突出片部１１２，１２２，１３２とが枠本体と一体に形成されている。
そして、各枠１１〜１３は、各躯体取付部１１１，１２１，１３１を介してまぐさ３、窓台４、柱２の各室外面に室外側から釘やビス等を打ち込むことで建物躯体に固定されている。
【００１５】
支持縦枠１３の室外面（外周面１３Ａに略直交する面）１３Ｂは、サッシ支持枠１０の内周から外周に向かうに従って徐々に室外側に突出される複数の段部が形成され、サッシ支持枠１０の意匠性を向上させている。支持上枠１１、支持下枠１２の室外面１１Ｂ，１２Ｂは、前記室外面１３Ｂの最外周の段部と略面一となるように構成されている。これらの各室外面１１Ｂ〜１３Ｂによって、サッシ支持枠１０における化粧面部が構成されている。
【００１６】
一方、窓枠２０および障子３０は、窓枠２０を直接柱２等の躯体に取り付けるタイプの横辷り出し窓と同一のものである。
具体的には、窓枠２０は、窓上枠２１、窓下枠２２、および左右の窓縦枠２３を四周枠組みした構成であり、窓上枠２１および窓縦枠２３は、非鉄金属であるアルミを押出成形したアルミ形材で構成されている。また、窓下枠２２は、非鉄金属であるアルミ製の室外部材２２１と、アルミ製の室内部材２２２と、ウレタン等の樹脂製であってアルミ等の金属に比べて熱伝導率が低い断熱材料からなり前記室外部材２２１および室内部材２２２を連結する連結部材２２３とで構成されている。なお、本実施形態では、樹脂注入方式の連結部材２２３を用いていたが、各室内外部材２２１、２２２間に１枚以上配置してかしめて連結される板状の断熱材料からなる連結部材を用いてもよい。
各枠２１〜２３において、障子３０を閉めた際に室内側に露出する室内露出面は、合成樹脂や木等の断熱材料で構成されたカバー２１５，２２５，２３５で被覆されている。なお、各カバー２１５，２２５，２３５は、壁開口部Ａの柱２、まぐさ３、窓台４の内周面に取り付けられた窓額縁２１７、２２７、２３７まで延長されて取り付けられている。
【００１７】
一方、障子３０は、上框３１、下框３２、および左右の竪框３３を四周框状に組んで構成されている。そして、各框３１〜３３の内周面には、面材である複層ガラス３４が複層ガスケットを介して嵌合されている。
各框３１〜３３は、それぞれアルミ製の室外部材３１１，３２１，３３１と、ポリ塩化ビニル樹脂等の合成樹脂や木等で形成されて断熱性を有する室内部材３１２，３２２，３３２とを接合して構成されている。
なお、窓枠２０において、障子３０の室内側には開閉可能な網戸４０が取り付けられている。
【００１８】
障子３０は、各窓縦枠２３と竪框３３との間にそれぞれ配置されて取り付けられたステンレス製の辷り出しアーム（４バーヒンジ等）３６により、窓枠２０に対して室外側に開閉可能に取り付けられている。そして、障子３０の下框３２には、カムラッチハンドル３７が回動自在に取り付けられ、このカムラッチハンドル３７を窓下枠２２の受け具に係合させることで障子３０が施錠される。
【００１９】
各枠２１〜２３の外周面には、窓枠２０を直接建物躯体に取り付ける際にその取付けに用いられる取付片２１４，２２４，２３４が窓枠２０の外周側に向かって突設されている。そして、窓枠２０をサッシ支持枠１０に取り付けるにあたっては、これらの各取付片２１４，２２４，２３４を用いて取り付けられている。すなわち、支持下枠１２には、図４にも示すように、窓下枠２２の取付片２２４と、窓下枠２２の先端部が挿入される凹溝部１２３が支持下枠１２の長手方向に沿って形成されている。そして、この凹溝部１２３内に挿入された取付片２２４を、凹溝部１２３の室内側立上片１２３Ａ側からビス２２６などで固定することで窓下枠２２は、支持下枠１２に取り付けられている。また、窓下枠２２の室外側端部は、凹溝部１２３の室外側立上部１２３Ｂの段部に当接されている。
支持上枠１１には、窓上枠２１が配置される段部１１３が形成されている。そして、この段部１１３の室内面１１３Ａに、窓上枠２１の取付片２１４がビス２１６等で固定されている。なお、窓上枠２１の取付片２１４は、室内面１１３Ａのシール材１１４に密着されて防水性や気密性を確保している。さらに、窓上枠２１の室外側端部は、段部１１３の室外部１１３Ｂに当接されている。
支持縦枠１３には、図５にも示すように、窓縦枠２３が配置される段部１３３が形成されている。そして、この段部１３３の室内面１３３Ａに、窓縦枠２３の取付片２３４がビス２３６等で固定され、室内面１３３Ａのシール材１３４に密着されて防水性や気密性を確保している。さらに、窓縦枠２３の室外側端部は、段部１３３の室外部（突起）１３３Ｂに当接されている。
従って、支持上枠１１、支持下枠１２、支持縦枠１３において、段部１１３，１３３や凹溝部１２３等により、サッシの窓枠２０が取り付けられる窓枠取付部が構成されている。
【００２０】
ここで、支持下枠１２は、図４に示すように、２つの中空部と、凹溝部１２３とを備えて構成されている。そして、第１の中空部の上面、つまり凹溝部１２３の底面は、室外側に向かって低くなる傾斜面とされている。従って、凹溝部１２３と第２の中空部とを区画する室外側立上部１２３Ｂに水抜き穴を形成しておけば、支持下枠１２と窓下枠２２の室外端との当接部分から仮に水が浸入したとしても、その水は凹溝部１２３内に溜まり、傾斜面に沿って流れて第２の中空部を介して壁の室外側に排出できるように構成されている。すなわち、凹溝部１２３はある程度の水が浸入してもその水が室内側に溢れ出すことがないようにある程度の深さおよび容積を備えている。
支持上枠１１の段部１１３は、室内側に向かうに従って窓上枠２１の上面から離れるように斜めに傾斜されている。そして、室内側のシール材１１４は窓上枠２１の上面から垂直方向に立ち上がった取付片２１４に当接されている。このため、仮に窓上枠２１と室外部１１３Ｂとの当接部分から雨水が毛細管現象などによって浸入しても、窓上枠２１と支持上枠１１との間の空間が前記傾斜面によって大きくなるため、その部分では毛細管現象が発生せず、また、取付片２１４によって雨水は堰き止められるため、室内側に漏水することを防止できる。
同様に、支持縦枠１３においても、段部１３３は、室内側に向かうに従って窓縦枠２３の側面（垂直面）から離れるように斜めに傾斜されている。そして、室内側のシール材１３４は窓縦枠２３の取付片２３４に当接されている。このため、仮に突起１３３Ｂと窓縦枠２３との当接部分から雨水が毛細管現象などによって浸入しても、その雨水は窓縦枠２３と支持縦枠１３との間の毛細管現象が発生しない大きな空間に達し、重力によって下方に落下し、支持下枠１２の凹溝部１２３部分に流れ落ちるため、前述の通り外部に排出できる。
【００２１】
各支持上枠１１〜支持縦枠１３の外周面には、前述の通り、各躯体取付部１１１，１２１，１３１および突出片部１１２，１２２，１３２が突設されている。ここで、突出片部１１２，１２２，１３２の形成位置は、サッシ支持枠１０を躯体（柱２、まぐさ３、窓台４）に取り付けた際に、その躯体室外面から突出片部１１２，１２２，１３２までの見込み寸法（室内外方向の寸法）が、躯体の室外面に配置される断熱材５の厚さ寸法とほぼ等しくなるように形成されている。このため、サッシ支持枠１０および断熱材５を躯体の室外面に配置すると、突出片部１１２，１２２，１３２の室外面と断熱材５の室外面とは略面一となるように構成されている。
【００２２】
そして、断熱材５の室外面の全面に貼られる透湿防水シート（風や雨の通過は防止するが、水蒸気は透過させるシート）４１の端部は、図３，６にも示すように、断熱材５の端縁とほぼ同位置まで貼られ、つまり前記突出片部１１２，１２２，１３２の端部に沿った位置まで貼られている。そして、防水テープ４２が、透湿防水シート４１の上（室外側）と、前記突出片部１１２，１２２，１３２の室外面とに掛け渡されて貼られている。この防水テープ４２によって、透湿防水シート４１の端部からの水の浸入をより確実に防止している。
なお、サッシ支持枠１０のコーナー部分（四隅部）では、各支持縦枠１３の突出片部１３２上に貼られた防水テープ４２と、支持上枠１１の突出片部１１２や支持下枠１２の突出片部１２２上に貼られた防水テープ４２が重ねられている。
【００２３】
各透湿防水シート４１および防水テープ４２の室外側には外壁材７を取り付ける下地となる胴縁６が配置され、この胴縁６に外壁材７が取り付けられている。また、胴縁６の室外側において、外壁材７とサッシ支持枠１０との間には、バックアップ材８およびシーリング材９が充填されて防水処理されている。
【００２４】
このような本実施形態においては、次のような手順でサッシを施工する。すなわち、内断熱工法の場合には、窓枠２０を直接柱２等の躯体に取り付けていたが、本実施形態では、この窓枠２０をサッシ支持枠１０にビス２１６，２２６，２３６等を用いて予め固定しておく。
そして、この窓枠２０が固定されたサッシ支持枠１０を建物の躯体にビスなどで固定する。また、断熱材５も躯体に取り付ける。
その後、断熱材５の室外面に貼った透湿防水シート４１の端部と、サッシ支持枠１０の突出片部１１２，１２２，１３２の室外面とに跨るように防水テープ４２を貼って防水処理を施す。
そして、胴縁６を防水テープ４２上に釘などを用いて固定する。その後、サイディング材等からなる外壁材７を取付け、バックアップ材８およびシーリング材９で防水処理を施して窓部分の仕上げが完了する。
そして、この窓枠２０に障子３０を取り付けてサッシ（横辷り出し窓１）が完成する。
【００２５】
このような本実施形態によれば、次のような効果がある。
(1) 外断熱工法において、窓枠２０を直接建物の躯体に取り付けるのではなく、サッシ支持枠１０を介して取り付けるようにしたので、外壁材７の見切り処理は、サッシ支持枠１０を利用して行うことができる。このため、従来のように、外断熱工法で用いる窓枠を、内断熱工法の窓枠よりも見込み寸法を大きくする必要が無く、各工法で共通する窓枠２０を用いることができるので、窓枠２０の種類を少なくでき、製造コストや管理コストを低減できる。
さらに、窓枠２０の配置位置は、窓枠２０の取付片２１４，２２４，２３４を直接建物の躯体（柱２，まぐさ３，窓台４）に取り付ける場合と殆ど同じであるため、窓額縁２１７、２２７、２３７等の窓枠２０の室内側の納まりを、内断熱工法の場合と共通化することができ、これらの付属品も共通化できる。
このため、内断熱工法および外断熱工法のいずれの工法を採用する場合でも、窓枠２０や窓額縁２１７、２２７、２３７等の付属品は共通化できるため、部品種類を削減できてコスト低減を図るとともに、設計から施工までの管理も省力化できる。
(2) 窓枠２０は、アルミ製のサッシ支持枠１０に固定されているので、従来のような木製の連結板材に支持される場合に比べて支持強度を向上でき、重量の大きな複層ガラス３４を組み込んだサッシであっても長期間安定して支持することができる。
その上、窓枠２０を予めサッシ支持枠１０に取り付けた上で、窓枠２０が一体化されたサッシ支持枠１０を建物の躯体に取り付ければよいため、従来の連結木材を用いた場合に比べて現場作業が軽減され、作業コストを低減できる上、工期が予測しやすく、工程調整も不要にでき、工期短縮も実現できる。
【００２６】
(3) 断熱材５の透湿防水シート４１上およびサッシ支持枠１０に跨って防水テープ４２が貼られているので、外断熱工法において、断熱材５およびサッシ支持枠１０間を確実に塞いで防水処理することができ、断熱性や気密性に優れた外壁構造にできる。
特に、本実施形態では、サッシ支持枠１０に突出片部１１２，１２２，１３２を設け、この突出片部１１２，１２２，１３２を、その室外面が断熱材５の室外面と略面一になる位置に形成したので、断熱材５に貼られた透湿防水シート４１の室外面（表面）から突出片部１１２，１２２，１３２に渡って防水テープ４２を貼り付ける際に、断熱材５および突出片部１１２，１２２，１３２が平面状に配置されるので、その貼付作業を非常に容易に行うことができ、作業者による仕上げのバラツキも無くすことができて確実に防水処理することができる。
その上、各シート４１やテープ４２は平面状態で貼り付けることができるので、サッシ支持枠１０のコーナー部においても、各テープ４２を重ね合わせて貼り付けることができ、各コーナー部分も容易にかつ確実に防水処理を施すことができる。
【００２７】
(4) サッシ支持枠１０が窓枠２０と外壁材７との間に配置されるため、サッシ支持枠１０の室外面（化粧面部）１１Ｂ〜１３Ｂに適宜段部を設けるなどして意匠性を向上させることができる。特に、サッシ支持枠１０は窓枠２０に比べて単純な断面構造であるため、室外面などのデザインの異なるものを複数種類製造することも比較的容易に行える。従って、窓の外観意匠のバリエーションを比較的安価に増やすことができ、顧客の多様な要望にも容易に対応することができる。
【００２８】
[第２実施形態］
次に、本発明の第２実施形態について、図７，８を参照して説明する。なお、以下の各実施形態において、前述する各実施形態と同様、同一の構成には同一符号を付し、説明を省略または簡略する。
本実施形態は、前記第１実施形態とは、サッシ支持枠１０の構成のみが相違し、窓枠２０、障子３０等は前記第１実施形態と同一である。すなわち、前記サッシ支持枠１０は、アルミ等の押出形材で構成された略中空筒状の構造であったが、本実施形態のサッシ支持枠５０は、それぞれが本体およびカバー材で構成されており、かつ本体は断熱構造を備えた構造とされている。
すなわち、サッシ支持枠５０は、支持上枠５１、支持下枠５２、支持縦枠５３を四角枠状に枠組みして構成されている。各枠５１〜５３は、それぞれ枠本体５１０，５２０，５３０と、枠カバー材５１５，５２５，５３５とで構成されている。
各枠本体５１０，５２０，５３０は、アルミ等の金属製押出形材からなる室外部材５１１，５２１，５３１および室内部材５１２，５２２，５３２と、金属に比べて熱伝導率の低い合成樹脂等の断熱部材からなり前記室内外部材を連結する連結部材５１３，５２３，５３３とで構成されている。
【００２９】
支持上枠５１の枠本体５１０は、室外部材５１１と室内部材５１２と、２つの連結部材５１３とで囲まれた中空部を備えている。そして、室外部材５１１に形成した穴から室内部材５１２にねじ込まれたビス５１４によって建物躯体に固定されている。
また、室外部材５１１は、連結部材５１３が取り付けられた垂直フランジ部５１１Ａと、この垂直フランジ部５１１Ａの上端部から水平方向に突設された水平フランジ部５１１Ｂと、垂直フランジ部５１１Ａの上端部から上方に突出された突出片部１１２とを備えている。水平フランジ部５１１Ｂと外壁材７との間には、バックアップ材８およびシーリング材９が充填されて防水処理されている。
さらに、垂直フランジ部５１１Ａの下端部から室外側に突出された部分には、窓枠２０の窓上枠２１に当接するシール材５１６が取り付けられ、さらにその室外側にはネジ固定用のポケット部５１７が形成されている。
枠カバー材５１５は、断面略Ｌ字状に形成され、その上端部の室内側端縁が水平フランジ部５１１Ｂに係合され、かつ下端部の室内側端縁が前記シール材５１６に当接されかつポケット部５１７にねじ込まれるネジ５１８で枠本体５１０に固定されている。
なお、窓上枠２１の取付片２１４は、前記第１実施形態と同様に、室内部材５１２の段部にビス２１６で固定されている。また、段部に設けられたシール材１１４が取付片２１４に密着して防水性および気密性を確保している。
【００３０】
同様に、支持下枠５２の枠本体５２０も、室外部材５２１、室内部材５２２、連結部材５２３で囲まれた中空部を備え、室外部材５２１に形成した穴から室内部材５２２にねじ込まれたビス５２４によって建物躯体に固定されている。
支持下枠５２においても、凹溝部１２３が形成されており、この凹溝部１２３に前記窓下枠２２が配置されている。すなわち、前記窓下枠２２の取付片２２４に沿って、室内部材５２２の室内側立上片５２２Ａが形成され、この室内側立上片５２２Ａから取付片２２４にねじ込まれたビス２２６によって窓下枠２２が支持下枠５２に固定されている。さらに、窓下枠２２の室外端縁部は、室外部材５２１のシール材５２６に当接して防水・気密性を確保している。また、シール材５２６の室外側には、ネジ固定用のポケット部５２７が形成されている。
そして、枠カバー材５１５と同一断面形状であり上下反転して配置されている枠カバー材５２５が、その下端部が室外部材５２１に係合され、上端部の室内側端縁が前記シール材５２６に当接されかつポケット部５２７にねじ込まれるネジ５１８で枠本体５２０に固定されている。さらに、室外部材５２１の下面から突出片部１２２が下方に突設されている。
【００３１】
一方、各支持縦枠５３の室内部材５３２は、略角筒状に形成され、室外側の辺に形成された孔を通して室外側の辺にねじ込んだネジ５３４によって柱２に固定されている。また、各支持縦枠５３のサッシ支持枠５０の内周面側には窓枠２０に当接するシール材１３４が取り付けられ、気密、水密性を確保している。そして、この室内部材５３２に窓縦枠２３の取付片２３４がビス２３６で固定されている。
一方、室外部材５３１の内周面には、枠カバー材５３５が係合される２条の係合片５３６が形成されている。枠カバー材５３５は、前記係合片５３６に係合可能な凹部５３５Ａを備え、かつその室外面は前記第１実施形態の各支持縦枠１３と同様に段部が形成されている。さらに、枠カバー材５３５のサッシ支持枠５０内周側の端部には、窓枠２０の室外端に当接するシール材５３７が取り付けられている。
また、各支持縦枠５３では、室外部材５３１の室外面に前記突出片部１３２が突設されている。
【００３２】
なお、本実施形態では、各枠５１〜５３においてビス５１４，５２４，５３４で躯体に取り付けられる室内部材５１２，５２２，５３２により躯体取付部が構成されている。
また、サッシ支持枠５０の各突出片部１１２，１２２，１３２は、サッシ支持枠５０を躯体に取り付けた際に、躯体室外面から突出片部１１２，１２２，１３２の室内面までの見込み寸法が断熱材５の見込み寸法よりも大きくされ、突出片部１１２，１２２，１３２と躯体との間に断熱材５を配置可能とされている。この場合も、突出片部１１２，１２２，１３２の室外面と断熱材５の室外面とは僅かな段差は生じているが、ほぼ面一とされている。
そして、前記第１実施形態と同様に、この断熱材５の室外面（透湿防水シート４１の表面）および突出片部１１２，１２２，１３２に跨って、防水テープ４２が貼られている。なお、図７，８に示すように、本実施形態を含む各実施形態では、透湿防水シート４１および防水テープ４２を厚みの無い線図で図示し、また断熱材５や突出片部１１２，１２２，１３２の室外面から多少離して記載しているが、これは各シート４１，４２の配置を分かりやすくするためのものであり、実際には、各シート４１，４２は、断熱材５や突出片部１１２，１２２，１３２の室外面に密着して貼られている。
このような本実施形態においても、前記第１実施形態と同様の手順で施工される。
【００３３】
このような本実施形態によれば、前記第１実施形態の（１）〜（４）と同様の作用効果を奏することができる。
(5) さらに、サッシ支持枠５０は、断熱性の連結部材５１３，５２３，５３３を備えているため、サッシ支持枠５０における断熱性能を第１実施形態に比べて向上することができる。このため、支持枠５０の室内面や窓枠２０の室内面の温度低下を抑えることができ、その部分の結露発生をより一層抑えることができる。
さらに、窓枠２０は、断熱性能に優れた合成樹脂製のシール材５１６，５２６，５３７に当接され、枠カバー材５１５，５２５，５３５や室外部材５１１，５２１に直接当接されないので、支持枠５０から窓枠２０への熱伝導を抑えることができ、この点でも窓枠２０の断熱性能を向上することができる。
(6) また、躯体取付部が各枠５１〜５３の見付け寸法内に設けられているので、第１実施形態よりも断熱材５を各枠５１〜５３に近接することができる。このため、断熱材５で覆われる範囲をより大きくでき、外壁部分の断熱性能をより一層向上することができる。さらに、各ビス５１４，５２４，５３４を窓枠２０に近い位置に配置できるので、サッシ支持枠５０の支持強度をより一層向上することができる。
(7) さらに、各ビス５１４，５２４，５３４は枠カバー材５１５，５２５，５３５で覆われるため、外観意匠の低下を抑えることができる。その上、枠本体５１０，５２０，５３０と、枠カバー材５１５，５２５，５３５とを別体で構成したので、枠カバー材５１５，５２５，５３５のみを交換することで、サッシ支持枠５０の外観意匠を容易にかつ施工後でも変更でき、顧客の要望に応じた意匠を容易にかつ安価に提供することができる。
【００３４】
[第３実施形態］
次に、本発明の第３実施形態について説明する。
第３実施形態は、サッシとして引違い窓を組み込んでいる点で前記第１，２実施形態と相違する。また、第３実施形態のサッシ支持枠６０は、第２実施形態のサッシ支持枠５０の枠本体５１０，５２０，５３０と同様に断熱形材で構成されている。
すなわち、サッシ支持枠６０は、支持上枠６１、支持下枠６２、支持縦枠６３を四角枠状に枠組みして構成されている。各枠６１〜６３は、それぞれアルミ等の金属製押出形材からなる室外部材６１１，６２１，６３１と、室内部材６１２，６２２，６３２と、金属に比べて熱伝導率の低い合成樹脂等の断熱部材からなり前記室内外部材を連結する連結部材６１３，６２３，６３３とで構成されている。
そして、各室内部材６１２，６２２，６３２に、前記第１実施形態と同様な各躯体取付部１１１，１２１，１３１、突出片部１１２，１２２，１３２が突設されている。サッシ支持枠６０は、サッシ支持枠６０の外部からネジを躯体取付部１１１，１２１，１３１にねじ込むことができるので、第２実施形態のような枠カバー材が不要になっている。
【００３５】
窓上枠２１の取付片２１４は、前記第１実施形態と同様に、支持上枠６１の室内部材６１２の段部にビス２１６で固定され、かつ、段部に設けられたシール材１１４に密着されている。また、窓上枠２１の室外側は、室外部材６１１のシール材６１６に当接され、直接室外部材６１１に当接しないようにされている。
支持下枠６２にも凹溝部１２３が形成されており、この凹溝部１２３に窓下枠２２が配置されている。そして、室内部材６２２の室内側立上片６２２Ａから取付片２２４にねじ込まれたビス２２６によって窓下枠２２が支持下枠５２に固定されている。さらに、窓下枠２２の室外端縁部は、室外部材６２１のシール材６２６に当接して防水・気密性を確保している。
一方、各支持縦枠６３の室内部材６３２には、シール材１３４が取り付けられ、ビス２３６で室内部材６３２に固定される窓縦枠２３の取付片２３４が密着されている。また、窓縦枠２３の室外端縁部は、室外部材６３１のシール材６３６に当接して防水・気密性を確保している。
【００３６】
窓枠２０は、障子３０を案内するレールなどが形成されている点で前記各実施形態の窓枠と相違するが、引違い窓用の窓枠であり、従来と同様のものであるため説明を省略する。同様に、障子３０も、外障子および内障子を備えた引違い窓用である点で各実施形態と相違するが、各框がアルミ材と合成樹脂材との複合材で構成されている点を含め従来と同様のものであるため、説明を省略する。
なお、本実施形態における躯体取付部や窓枠取付部は、前記第１実施形態と同様である。そして、前記第１実施形態と同様に、断熱材５の室外面（透湿防水シート４１の表面）および突出片部１１２，１２２，１３２に跨って、防水テープ４２が貼られている。
このような本実施形態においても、前記第１実施形態と同様の手順で施工される。
【００３７】
このような本実施形態においても、前記第１実施形態の（１）〜（４）と、第２実施形態の（５）と同様の作用効果を奏することができる。
(8) さらに、透湿防水シート４１、防水テープ４２が貼られる突出片部１１２，１２２，１３２を、室内部材６１２，６２２，６３２に設けているので、サッシ支持枠６０の断熱ラインを断熱材５の室外側に設けることができ、断熱性能をより一層向上させることができる。
さらに、第２実施形態に比べると、枠カバー材５１５，５２５，５３５を後から取り付ける現場作業が不要になるため、現場作業性を向上できる。
【００３８】
[第４実施形態］
次に、本発明の第４実施形態について、図１１，１２を用いて説明する。
第４実施形態は、前記第３実施形態と同じ引違い窓を組み込んだものである。但し、第３実施形態では、サッシ支持枠６０に各躯体取付部１１１，１２１，１３１を一体に形成していたが、本実施形態のサッシ支持枠７０では、躯体取付部１１１，１２１，１３１を設けずに、別体のブラケット７５を用いて躯体に固定している点が相違する。
すなわち、サッシ支持枠７０の支持上枠７１、支持下枠７２、支持縦枠７３は、第３実施形態と同様に、アルミ等の金属製押出形材からなる室外部材７１１，７２１，７３１と、室内部材７１２，７２２，７３２と、断熱部材からなる連結部材７１３，７２３，７３３とで構成されている。そして、各室内部材７１２，７２２，７３２には、突出片部１１２，１２２，１３２が外周に向かって突設されている。
なお、窓枠２０の取付構造や透湿防水シート４１、防水テープ４２の貼り付け構造は、第３実施形態と同じであるため、同一符号を付し、説明を省略する。
【００３９】
本実施形態において、支持上枠７１、支持下枠７２、支持縦枠７３は、断面Ｌ字状でありピース状つまり各枠７１〜７３と同じ長さ連続するものではなく、各枠７１〜７３の長手寸法に比べて非常に短尺のブラケット７５を用いて建物の躯体に取り付けられている。すなわち、ブラケット７５は、各枠７１〜７３の長手方向に所定間隔毎に配置され、各枠７１〜７３の室内部材７１２，７２２，７３２および柱２、まぐさ３、窓台４等の建物躯体にそれぞれビスなどで固定されている。本実施形態においても、前記第１実施形態と同様の手順で施工される。
【００４０】
このような本実施形態においても、前記第１実施形態の（１）〜（４）と、第２実施形態の（５）、第３実施形態の（８）と同様の作用効果を奏することができる。
(9) さらに、サッシ支持枠７０の躯体取付部としてピース状のブラケット７５を用いているので、躯体取付部１１１，１２１，１３１が各枠に一体に形成され、各枠と同じ長さ寸法で構成される場合に比べ、サッシ支持枠７０の室内側の部分が冷やされにくくなり、その部分での冷温域をより小さくすることができる。
その上、ブラケット７５はピース材であり、各枠７１〜７３に、２〜４個程度（個数は長さ寸法によって設定される）しか設けられないため、躯体取付部が連続して形成されている場合に比べて、隙間が生じるため、躯体側つまり室内側の水蒸気を室外側に放出し易くできる。これらにより、サッシ支持枠７０の室内側での内部結露の発生をより一層低減できる。
さらに、このような効果は、躯体取付部１１１，１２１，１３１の一部を残して切断することでも得られる。つまり、サッシ支持枠の外周面から躯体取付部が突設されている際に、その躯体取付部が所定間隔で切り欠かれ、各枠の長手方向に連続していなければ同様の効果が得られる。但し、躯体取付部１１１，１２１，１３１を切り欠く場合は、その切欠加工が煩雑で加工費が嵩むとともに、切り欠いた部分の材料が無駄になりコストが高くなるが、本実施形態のように別体のブラケット７５を用意すれば、加工費や材料費の各コストを低減することができる。
【００４１】
[第５実施形態］
次に、本発明の第５実施形態について、図１３，１４を用いて説明する。
第５実施形態は、第３，４実施形態と同じ引違い窓を組み込んだものであるが、サッシ支持枠８０の構造を変えた点で相違する。
すなわち、サッシ支持枠８０の支持上枠８１、支持下枠８２、支持縦枠８３は、アルミ等の金属製押出形材からなる室外部材８１１，８２１，８３１と、金属に比べて熱伝導率の低い合成樹脂等の断熱部材からなる室内部材８１２，８２２，８３２とで構成されている。
そして、各室内部材７１２，７２２，７３２には、躯体取付部１１１、１２１，１３１および突出片部１１２，１２２，１３２が外周に向かって突設されている。
なお、窓枠２０の取付構造や透湿防水シート４１、防水テープ４２の貼り付け構造は、第３実施形態と同じであるため、同一符号を付し、説明を省略する。本実施形態においても、前記第１実施形態と同様の手順で施工される。
【００４２】
このような本実施形態においても、前記第１実施形態の（１）〜（４）と、第２実施形態の（５）、第３実施形態の（８）と同様の作用効果を奏することができる。
(10)さらに、サッシ支持枠８０の室内部材８１２，８２２，８３２を断熱部材で構成したので、サッシ支持枠８０の室内側の部分がより一層冷やされにくくなり、その部分での冷温域を非常に小さくすることができる。このため、サッシ支持枠８０の室内側での内部結露の発生をより一層低減できる。
【００４３】
[第６実施形態］
次に、本発明の第６実施形態について、図１５〜１７を用いて説明する。
第６実施形態のサッシ支持枠９０は、突出片部１１２，１２２，１３２が設けられていない点で前記各実施形態のサッシ支持枠１０，５０，６０，７０，８０と相違する。
すなわち、サッシ支持枠９０の支持上枠９１、支持下枠（図示せず）、支持縦枠９３は、前記第１実施形態のサッシ支持枠１０と同様に、アルミ等の金属製押出形材により略中空筒状に形成されている。そして、躯体取付部１１１、１２１，１３１は一体に形成されているが、突出片部は設けられていない。
このため、断熱材５の側面をサッシ支持枠９０の外周面に沿って配置し、断熱材５の室外面に透湿防水シート４１を貼った後、断熱材５および透湿防水シート４１の室外面とサッシ支持枠９０の外周面とに跨って防水テープ４２をＬ字状に折曲して貼っている。
また、上枠９１および下枠と、縦枠９３とが接合されるサッシ支持枠９０のコーナー部（四隅分、角部）には、図１６に示すように、コーナー部材９５が接着剤や両面テープ等により取り付けられている。
コーナー部材９５は、合成樹脂などで成形されたものであり、サッシ支持枠９０の角部に沿って９０度折曲されてサッシ支持枠９０に接着されている枠側接着面９６と、この枠側接着面９６に直交して形成されて透湿防水シート４１に接着されるシート側接着面９７とを備えている。
本実施形態では、透湿防水シート４１の上からコーナー部材９５を接着した後、図１７に示すように、防水テープ４２を透湿防水シート４１（断熱材５）およびサッシ支持枠９０に跨ってＬ字状に折曲しながら貼り付ける。この際、サッシ支持枠９０のコーナー部分においては、各防水テープ４２は、折り返し線に沿って切断して、透湿防水シート４１上に貼られるテープ部４２Ａと、サッシ支持枠９０上に貼られるテープ部４２Ｂとに分離しなければ重ね合わすことができない。このため、各防水テープ４２の切断部の交差位置４２Ｃにピンホールが生じてしまう。しかしながら、本実施形態では、交差位置４２Ｃの裏面側にコーナー部材９５が配置されているので、ピンホールの発生を防止でき、止水性能も十分に確保することができる。
【００４４】
このような本実施形態においても、前記第１実施形態の（１）〜（４）と同様の作用効果を奏することができる。
(11)さらに、前記各実施形態では、突出片部１１２，１２２，１３２の形成位置（室内外方向の位置）を断熱材５の厚さ寸法にほぼ一致させなければならないため、断熱材５の厚さ寸法が異なる場合には、その厚さ寸法に応じたサッシ支持枠を用意しなければならないのに対し、本実施形態では、サッシ支持枠９０の外周面に防水テープ４２を直接貼り付けているため、断熱材５の厚さ寸法が異なる場合でも確実に対応でき、その分、サッシ支持枠９０の種類を少なくできてコストを低減できる。
【００４５】
なお、本発明は前記各実施形態に限定されない。
例えば、前記各実施形態では、透湿防水シート４１の上に防水テープ４２を貼っていたが、逆に、防水テープ４２を断熱材５およびサッシ支持枠に跨って貼り付けた後、防水テープ４２上に透湿防水シート４１を貼り付けるようにしてもよい。この場合、両面が粘着面になっている防水テープ４２を用いればよい。
また、前記第１〜５実施形態では、断熱材５（透湿防水シート４１）およびサッシ支持枠に跨って防水テープ４２のみを貼り付けていたが、透湿防水シート４１の端部をサッシ支持枠部分まで延長し、防水テープ４２だけでなく透湿防水シート４１も断熱材５およびサッシ支持枠に跨るように配置してもよい。但し、透湿防水シート４１は通常粘着性が無いため、例えば、サッシ支持枠の突出片部１１２，１２２，１３２の全面を透湿防水シート４１で覆うのではなく、突出片部１１２，１２２，１３２の端縁の一部分まで透湿防水シート４１を延長し、それ以外の部分には、直接、防水テープ４２を突出片部１１２，１２２，１３２に貼り付けることができるように構成すればよい。
さらに、第６実施形態では、コーナー部材９５を透湿防水シート４１の上から貼っていたが、先に断熱材５の上にコーナー部材９５を取付け、コーナー部材９５のシート側接着面９７の上に透湿防水シート４１や防水テープ４２を貼り付けるようにしてもよい。この場合は、コーナー部材９５に粘着面を適宜設けておけば施工も容易に行える。
要するに、本発明では、少なくとも防水テープ４２が断熱材５およびサッシ支持枠に跨って貼り付けられて防水処理されていればよい。
【００４６】
また、サッシ支持枠の具体的な構成、つまり材質や形状は前記各実施形態に限らない。例えば、合成樹脂製のサッシ支持枠を用いてもよいし、支持縦枠の室外面（意匠面）と同様の段差等のデザインを、各支持上枠や支持下枠に施してもよく、これらの材質や形状（意匠）は実施にあたって適宜設定すればよい。
さらに、サッシ支持枠で支持されるサッシ窓は、前記横辷り出し窓１や引違い窓に限らず、上げ下げ窓や縦辷り出し窓、さらにはＦＩＸ窓等の各種のサッシ窓を利用できる。特に、本発明では、外断熱工法の窓においても、従来の内断熱工法で利用されていた各種のサッシ窓をそのまま利用することができるので、種々のサッシ窓が利用可能である。
【００４７】
【発明の効果】
以上に述べたように、本発明の外断熱式外壁構造およびサッシ支持枠によれば、外断熱工法の外壁において、内断熱工法の場合と同じサッシや付属品を用いることができ、サッシの製造コスト、管理コスト、作業コストを低減できるという効果がある。
【図面の簡単な説明】
【図１】本発明の第１実施形態における外断熱工法の外壁開口部分を示す縦断面図である。
【図２】第１実施形態の外壁開口部分を示す横断面図である。
【図３】第１実施形態の外壁開口部分を示す概略斜視図である。
【図４】第１実施形態のサッシ支持枠の支持下枠を示す拡大縦断面図である。
【図５】第１実施形態のサッシ支持枠の支持縦枠を示す拡大横断面図である。
【図６】第１実施形態のサッシ支持枠および透湿防水シート、防水テープの貼付け状態を示す概略斜視図である。
【図７】本発明の第２実施形態における外断熱工法の外壁開口部分を示す縦断面図である。
【図８】第２実施形態の外壁開口部分を示す横断面図である。
【図９】本発明の第３実施形態における外断熱工法の外壁開口部分を示す縦断面図である。
【図１０】第３実施形態の外壁開口部分を示す横断面図である。
【図１１】本発明の第４実施形態における外断熱工法の外壁開口部分を示す縦断面図である。
【図１２】第４実施形態の外壁開口部分を示す横断面図である。
【図１３】本発明の第５実施形態における外断熱工法の外壁開口部分を示す縦断面図である。
【図１４】第５実施形態の外壁開口部分を示す横断面図である。
【図１５】本発明の第６実施形態におけるサッシ支持枠の支持縦枠を示す横断面図である。
【図１６】第６実施形態におけるサッシ支持枠のコーナー部を示す概略斜視図である。
【図１７】第６実施形態におけるサッシ支持枠のコーナー部を示す概略斜視図である。
【符号の説明】
１…横辷り出し窓、２…柱、３…まぐさ、４…窓台、５…断熱材、６…胴縁、７…外壁材、８…バックアップ材、９…シーリング材、１０，５０，６０，７０，８０，９０…サッシ支持枠、１１，５１，６１，７１，８１，９１…支持上枠、１２，５２，６２，７２，８２…支持下枠、１３，５３，６３，７３，８３，９３…支持縦枠、１１Ａ〜１３Ａ…外周面、１１Ｂ〜１３Ｂ…室外面、２０…窓枠、２１…窓上枠、２２…窓下枠、２３…窓縦枠、３０…障子、３１…上框、３２…下框、３３…竪框、３４…複層ガラス、３７…カムラッチハンドル、４０…網戸、４１…透湿防水シート、４２…防水テープ、４２Ａ…テープ部、４２Ｂ…テープ部、４２Ｃ…交差位置、７５…ブラケット、９５…コーナー部材、９６…枠側接着面、９７…シート側接着面、１１１，１２１，１３１…躯体取付部、１１２，１２２，１３２…突出片部、１１３，１３３…段部、１１３Ａ，１３３Ａ…室内面、１１３Ｂ，１３３Ｂ…室外部、１１４，１３４…シール材、１２３…凹溝部、１２３Ａ…室内側立上片、１２３Ｂ…室外側立上部、２１４，２２４，２３４…取付片、２１５，２２５，２３５…カバー、２１６，２２６，２３６…ビス、２１７、２２７、２３７…窓額縁、２２１…室外部材、２２２…室内部材、２２３…連結部材、３１１，３２１，３３１…室外部材、３１２，３２２，３３２…室内部材、５１０，５２０，５３０…枠本体、５１１，５２１，５３１…室外部材、５１２，５２２，５３２…室内部材、５１３，５２３，５３３…連結部材、５１１Ａ…垂直フランジ部、５１１Ｂ…水平フランジ部、５１４，５２４，５３４…ビス、５１５，５２５，５３５…枠カバー材、５１６，５２６，５３７…シール材、５１７，５２７…ポケット部、５１８，５３４…ネジ、５２２Ａ…室内側立上片、５３５Ａ…凹部、５３６…係合片、６１１，６２１，６３１…室外部材、６１２，６２２，６３２…室内部材、６１３，６２３，６３３…連結部材、６１６，６２６，６３６…シール材、６２２Ａ…室内側立上片、７１１，７２１，７３１…室外部材、７１２，７２２，７３２…室内部材、７１３，７２３，７３３…連結部材、８１１，８２１，８３１…室外部材、８１２，８２２，８３２…室内部材。
【図１】
0004009449.tif 000002
【図２】
0004009449.tif 000003
【図３】
0004009449.tif 000004
【図４】
0004009449.tif 000005
【図５】
0004009449.tif 000006
【図６】
0004009449.tif 000007
【図７】
0004009449.tif 000008
【図８】
0004009449.tif 000009
【図９】
0004009449.tif 000010
【図１０】
0004009449.tif 000011
【図１１】
0004009449.tif 000012
【図１２】
0004009449.tif 000013
【図１３】
0004009449.tif 000014
【図１４】
0004009449.tif 000015
【図１５】
0004009449.tif 000016
【図１６】
0004009449.tif 000017
【図１７】
0004009449.tif 000018